(57)【要約】【課題】製造コストの増大を抑制しつつ、サイドフラップに取り付けられた係止テープが着用者の脚回り部と直接接触することによる着用者の違和感や不快感を解消できる使い捨ておむつを提供する。【解決手段】使い捨ておむつ１は、背側サイドフラップ３０と、係止テープ４０とを備える。係止テープ４０は、背側サイドフラップ３０の外側面に露出した状態で背側サイドフラップ３０に取り付けられるテープ取付部４１を有する。背側サイドフラップ３０は、テープ取付部４１よりも脚回り部ＷＬ側に位置する脚回り側領域３０１を有する。脚回り側領域３０１は、係止テープ４０が引っ張られつつ使い捨ておむつ１のインナー部に係止されるときに生じる応力によって、係止テープ４０側に折れ曲がり、テープ取付部４１を覆う。【選択図】図３
2011072687.tif 000002
【特許請求の範囲】
【請求項１】
液透過性の表面シート、液不透過性の裏面シート、及び前記表面シートと前記裏面シートとの間に設けられた吸収体を含むインナー部と、
前記インナー部の長手方向の一端部において、前記インナー部の幅方向における両端部に連なるサイドフラップと、
前記サイドフラップの側端部に取り付けられ、前記インナー部の長手方向の他端部に係止される係止テープと
を備える使い捨ておむつであって、
前記係止テープは、前記サイドフラップの外側面に露出した状態で前記サイドフラップに取り付けられるテープ取付部を有し、
前記サイドフラップは、前記使い捨ておむつの着用者への装着時において、前記テープ取付部よりも前記着用者の脚回り部側に位置する脚回り側領域を有し、
前記脚回り側領域は、前記係止テープが引っ張られつつ前記インナー部の長手方向の他端部に係止されるときに生じる応力によって、前記係止テープ側に折れ曲がり、少なくとも前記テープ取付部の前記脚回り部側の端部を覆う使い捨ておむつ。
【請求項２】
前記インナー部の長手方向に沿った前記脚回り側領域の長さLｂは、前記インナー部の幅方向に沿った前記テープ取付部の長さLａよりも長い請求項１に記載の使い捨ておむつ。
【請求項３】
前記サイドフラップの前記インナー部との境界から前記側端部までの長さＬｃは、前記長さLｂよりも長い請求項２に記載の使い捨ておむつ。
【請求項４】
前記係止テープを構成する第１資材に対して前記所定の曲率が与えられたときにおける前記第１資材の曲げ剛性を第１曲げ剛性とし、前記サイドフラップを構成する第２資材に対して所定の曲率が与えられたときにおける前記第２資材の曲げ剛性を第２曲げ剛性とした場合、
前記第２曲げ剛性は、前記第１曲げ剛性よりも小さい請求項１乃至３の何れか一項に記載の使い捨ておむつ。
【請求項５】
前記係止テープを構成する第１資材の目付は、前記サイドフラップを構成する第２資材の目付の１．５倍以上であって、５倍以下である請求項１乃至４の何れか一項に記載の使い捨ておむつ。
【請求項６】
前記サイドフラップは、他の部分よりも剛性が高い高剛性部を有し、
前記高剛性部は、前記脚回り側領域が折れ曲がる際に形成される折り曲げ線に沿って形成される請求項１乃至５の何れか一項に記載の使い捨ておむつ。
【請求項７】
前記高剛性部は、少なくとも、前記テープ取付部の前記脚回り部側の端部から、前記サイドフラップの前記インナー部との境界に向かって斜めに延在する請求項６に記載の使い捨ておむつ。
【請求項８】
前記インナー部の長手方向に伸長した状態で設けられた細長い伸縮性部材を含むギャザーを備え、
前記ギャザーは、前記インナー部の幅方向端部に設けられ、
前記サイドフラップは、前記インナー部に接合される接合部を有し、
前記接合部は、前記ギャザーの前記インナー部側の端部よりも前記インナー部の幅方向中央寄りに形成される請求項１乃至７の何れか一項に記載の使い捨ておむつ。
【請求項９】
前記サイドフラップは、前記テープ取付部よりも前記着用者の胴部側に位置する胴部側領域を有し、
前記胴部側領域は、前記係止テープが引っ張られつつ前記インナー部の長手方向の他端部に係止されるときに生じる応力によって、前記係止テープ側に折れ曲がり、少なくとも前記テープ取付部の前記胴部側の端部を覆う請求項１乃至８の何れか一項に記載の使い捨ておむつ。
【発明の詳細な説明】
【技術分野】
【０００１】
本発明は、面ファスナーなどの係止テープを用いて、背側部分と腹側部分とを係止するテープ型（オープン型）の使い捨ておむつに関する。
【背景技術】
【０００２】
従来、乳幼児などに用いられる使い捨ておむつとして、面ファスナーなどの係止テープを用いて、使い捨ておむつの背側部分を腹側部分に係止するテープ型（オープン型）が広く提供されている。一般的にテープ型の使い捨ておむつには、着用者からの排泄物を吸収する吸収体を有するインナー部と、インナー部の側端部にそれぞれ連なる一対のサイドフラップとが備えられる。サイドフラップの側端部には、係止テープが使い捨ておむつの幅方向外側に突出した状態で取り付けられる。
【０００３】
また、着用者の脚回り部の形状に沿うように、脚回り部側のサイドフラップ外縁を湾曲状にしたテープ型の使い捨ておむつが知られている（例えば、特許文献１）。
【先行技術文献】
【特許文献】
【０００４】
【特許文献１】特開２０００−１２６２３１号公報（第４頁、第２図）
【発明の概要】
【発明が解決しようとする課題】
【０００５】
しかしながら、上述した従来の使い捨ておむつには、次のような問題があった。すなわち、使い捨ておむつの着用状態において係止テープが外側に露出していると、サイドフラップよりも硬い資材で構成されている係止テープが着用者の脚回り部に直接接触し得る。このため、着用者が違和感や不快感を覚える問題があった。
【０００６】
勿論、着用者の脚回り部と接触し得る係止テープの部分を係止テープよりも柔らかい資材で構成された部材で覆った構造とすれば、このような問題は解消するが、製造コストの増大の原因となる。
【０００７】
そこで、本発明は、製造コストの増大を抑制しつつ、サイドフラップに取り付けられた係止テープが着用者の脚回り部と直接接触することによる着用者の違和感や不快感を解消できる使い捨ておむつの提供を目的とする。
【課題を解決するための手段】
【０００８】
上述した課題を解決するため、本発明は、次のような特徴を有している。まず、本発明の第１の特徴は、液透過性の表面シート（表面シート３）、液不透過性の裏面シート（裏面シート４）、及び前記表面シートと前記裏面シートとの間に設けられた吸収体（吸収体５）を含むインナー部（インナー部１０）と、前記インナー部の長手方向の一端部（端部１０ａ１）において、前記インナー部の幅方向における両端部（端部１０ｂ１，１０ｂ２）に連なるサイドフラップ（背側サイドフラップ３０）と、前記サイドフラップの側端部（側端部３０ａ）に取り付けられ、前記インナー部の長手方向の他端部（端部１０ａ２）に係止される係止テープ（係止テープ４０）とを備える使い捨ておむつ（使い捨ておむつ１）であって、前記係止テープは、前記サイドフラップの外側面に露出した状態で前記サイドフラップに取り付けられるテープ取付部（テープ取付部４１）を有し、前記サイドフラップは、前記使い捨ておむつの着用者への装着時において、前記テープ取付部よりも前記着用者の脚回り部（脚回り部ＷＬ）側に位置する脚回り側領域（脚回り側領域３０１）を有し、前記脚回り側領域は、前記係止テープが引っ張られつつ前記インナー部の長手方向の他端部に係止されるときに生じる応力によって、前記係止テープ側に折れ曲がり、少なくとも前記テープ取付部の前記脚回り部側の端部（端部４１ａ）を覆うことを要旨とする。
【発明の効果】
【０００９】
本発明の特徴によれば、製造コストの増大を抑制しつつ、サイドフラップに取り付けられた係止テープが着用者の脚回り部と直接接触することによる着用者の違和感や不快感を解消できる使い捨ておむつを提供することができる。
【図面の簡単な説明】
【００１０】
【図１】図１は、使い捨ておむつ１の展開平面図である。
【図２】図２（ａ）は、図１のＡ−Ａ’線に沿った使い捨ておむつ１の断面図、図２（ｂ）は、図１のＢ−Ｂ’線に沿った使い捨ておむつ１の断面図である。
【図３】図３は、着用者Wが使い捨ておむつ１を着用した状態を示す図である。
【図４】図４は、背側サイドフラップ３０部分の一部拡大図である。
【図５】図５は、使い捨ておむつ１の製造工程を模式的に示す図である。
【図６】図６（ａ）〜（ｅ）は、背側サイドフラップ３０の変更例を示す図である。
【図７】図７は、背側サイドフラップ３０の取付位置に係る変更例を示す図である。
【図８】図８は、背側サイドフラップ３０の他の変更例を示す図である。
【図９】図９は、サイドフラップの形状に係る変更例を示す図である。
【図１０】図１０は、サイドフラップの形状に係る他の変更例を示す図である。
【図１１】図１１は、サイドフラップの形状に係るさらに他の変更例を示す図である。
【発明を実施するための形態】
【００１１】
次に、本発明に係る使い捨ておむつの実施形態について、図面を参照しながら説明する。なお、以下の図面の記載において、同一または類似の部分には、同一または類似の符号を付している。ただし、図面は模式的なものであり、各寸法の比率などは現実のものとは異なることに留意すべきである。
【００１２】
したがって、具体的な寸法などは以下の説明を参酌して判断すべきである。また、図面相互間においても互いの寸法の関係や比率が異なる部分が含まれ得る。
【００１３】
（使い捨ておむつの構造）
図１及び図２を用いて、本発明の実施形態に係る使い捨ておむつ１について説明する。図１は、使い捨ておむつ１の展開平面図である。図２（ａ）は、図１のＡ−Ａ’線に沿った使い捨ておむつ１の断面図である。図２（ｂ）は、図１のＢ−Ｂ’線に沿った使い捨ておむつ１の断面図である。
【００１４】
図１及び図２（ａ），（ｂ）に示すように、本実施形態に係る使い捨ておむつ１は、係止テープ４０を用いて使い捨ておむつ１の背側部分を腹側部分に係止するテープ型（オープン型）の使い捨ておむつである。使い捨ておむつ１は、乳児或いは幼児向けである。
【００１５】
使い捨ておむつ１は、インナー部１０、背側サイドフラップ３０及び腹側サイドフラップ３１を備える。
【００１６】
インナー部１０は、表面シート３、裏面シート４及び吸収体５によって構成される。インナー部１０の幅方向の端部１０ｂ１，１０ｂ２には、ギャザー６が設けられる。背側サイドフラップ３０の側端部３０ａには、係止テープ４０がそれぞれ設けられる。
【００１７】
表面シート３は、着用者W（図１及び図２において不図示、図３参照）の肌側に位置し、着用者Wの肌と接触し得る。表面シート３は、吸収体５を包み込むように設けられる。表面シート３は、親水性不織布や織物、開口プラスチックフィルム、開口疎水性不織布などの液透過性のシートによって形成される。
【００１８】
裏面シート４は、吸収体５を介して表面シート３と反対側に設けられる。つまり、裏面シート４は、使い捨ておむつ１が着用者Wに着用された着用状態において、表面シート３よりも外側に位置する。裏面シート４は、着用者Wの衣類と接触し得る不織布４Ａと、不織布４Ａよりも内側（着用者Wの肌側）に位置するバックフィルム４Ｂとを有する。不織布４Ａとバックフィルム４Ｂとは、ＨＭＡなどで接合されている。
【００１９】
図２（ｂ）に示すように、不織布４Ａは、バックフィルム４Ｂを巻き込むように折り返され、背側サイドフラップ３０と積層されている。また、背側サイドフラップ３０は、係止テープ４０が取り付けられる部分で折り返されている。折り返された背側サイドフラップ３０の側端部３０ａの一部は、不織布４Ａが折り返された領域と重なるように積層されている。このため、シート状部材が複数枚積層される領域（図中の点線枠内）が形成され、使い捨ておむつ１の着用者Wへの装着時に、背側サイドフラップ３０及び係止テープ４０が幅方向外側に引っ張られても、当該シート状部材が破断し難く、係止テープ４０から背側サイドフラップ３０に力を伝え易い。
【００２０】
不織布４Ａとしては、スパンボンド−メルトブロー−スパンボンド（ＳＭＳ）不織布、スパンボンド（ＳＢ）不織布及びポイントボンド不織布から構成された疎水性の不織布を用いることができる。また、バックフィルム４Ｂとしては、透湿または非透湿性のフィルムを用いることができる。
【００２１】
吸収体５は、表面シート３と裏面シート４との間に設けられ、着用者Wが排泄した排泄物（尿など）を吸収する。吸収体５は、液体を吸収する吸収体コア５Ａと、吸収性シート５Ｂとを有する。吸収体コア５Ａは、吸収性シート５Ｂによって包まれている。吸収体コア５Ａは、表面シート３に包まれた状態で裏面シート４にＨＭＡなどで接合される。
【００２２】
吸収体コア５Ａは、親水性繊維を含む。親水性繊維としては、粉砕パルプ、コットンなどのセルロース、レーヨン、フィブリルレーヨンなどの再生セルロース、アセテート、トリアセテートなどの半合成セルロース、粒子状ポリマー、繊維状ポリマー、熱可塑性疎水性化学繊維、または親水化処理を施した熱可塑性疎水性化学繊維等を単独または混合して用いることができる。一方、吸収性シート５Ｂとしては、ティッシュを用いることができる。
【００２３】
ギャザー６は、疎水性（撥水性）の不織布によって形成されるシート状の部材である。ギャザー６は、複数の細長い伸縮性部材（ライクラ（登録商標）などのポリウレタン繊維など）を含み、伸縮性を有する。ギャザー６は、インナー部１０の幅方向（図１のＤ１方向）の端部１０ｂ１，１０ｂ２に設けられる。ギャザー６は、インナー部１０の長手方向(図１のＤ２方向)に伸長した状態でインナー部１０に設けられる。このため、着用者Wへの使い捨ておむつ１の装着時に着用者Wの体型に沿って、ギャザー６やインナー部１０の端部１０ｂ１，１０ｂ２が吸収体５の側方から立ち上がり、着用者Wからの排泄物の外部への漏れを確実に防止する。
【００２４】
背側サイドフラップ３０は、インナー部１０の長手方向の端部１０ａ１に連なる。具体的には、背側サイドフラップ３０は、端部１０ａ１において、インナー部１０の幅方向における端部１０ｂ１，１０ｂ２に連なる。本実施形態では、背側サイドフラップ３０は、四角形の形状を有する。
【００２５】
背側サイドフラップ３０は、液不透過性の不織布によって形成される。本実施形態では、背側サイドフラップ３０は、ＳＭＳ不織布によって形成される。なお、背側サイドフラップ３０としては、ＳＭＳ不織布以外にＳＢ不織布などを用いることができる。また、腹側サイドフラップ３１も、背側サイドフラップ３０と同様の不織布によって形成される。
【００２６】
係止テープ４０は、ＨＭＡなどによって背側サイドフラップ３０の側端部３０ａに取り付けられ、インナー部１０の端部１０ａ１（背側部分）を端部１０ａ２（腹側部分）に係止する。係止テープ４０は、背側サイドフラップ３０よりも硬い資材で構成される。
【００２７】
具体的には、係止テープ４０は、いわゆる面ファスナーの雄部材を含み、複数の鉤状の突起群（フック）が形成された係合面４０ａを有する。係合面４０ａは、インナー部１０の端部１０ａ２に設けられたターゲットテープ部１０ｔと係合する。また、本実施形態では、係合面４０ａを除く他の係止テープ４０の部分は、ＳＢ不織布によって形成される。なお、係止テープ４０の素材としては、ＳＢ不織布以外に、樹脂フィルムなどが挙げられる。
【００２８】
図３は、着用者Wが使い捨ておむつ１を着用した状態を示す。図３に示すように、使い捨ておむつ１は、吸収体５（図１及び図２参照）が着用者Wの股間ＷＧに位置するように着用者Wに装着される。
【００２９】
使い捨ておむつ１を着用者Wに装着する装着者（不図示）は、係止テープ４０を着用者Wの腹側に引っ張り、引っ張った状態の係止テープ４０をインナー部１０の端部１０ａ２に係止する。これにより、着用者Wが動いても、使い捨ておむつ１がずれたりすることなく、確実に着用者Wに装着される。
【００３０】
また、使い捨ておむつ１が着用者Wに装着される際、係止テープ４０が引っ張られると、背側サイドフラップ３０の脚回り側領域３０１は、係止テープ４０が装着者によって引っ張られつつインナー部１０の端部１０ａ２に設けられたターゲットテープ部１０ｔに係止されるときに生じる応力によって、係止テープ４０側に折れ曲がる。この結果、脚回り側領域３０１は、テープ取付部４１の脚回り部ＷＬ側の端部４１ａ（図３において不図示、図４参照）を覆う。このため、テープ取付部４１の端部４１ａが着用者Wの肌と直接接触することがない。なお、脚回り側領域３０１が係止テープ４０側に折れ曲がる仕組みについては、さらに後述する。
【００３１】
次に、図４を参照して、背側サイドフラップ３０、背側サイドフラップ３０の脚回り側領域３０１、及び係止テープ４０の詳細について説明する。図４は、背側サイドフラップ３０部分の一部拡大図である。
【００３２】
背側サイドフラップ３０は、インナー部１０に接合される接合部６０を有する。具体的には、背側サイドフラップ３０は、ＨＭＡなどを用いて、着用者W側に位置するインナー部１０に接合される。
【００３３】
係止テープ４０は、背側サイドフラップ３０に取り付けられるテープ取付部４１を有する。テープ取付部４１は、背側サイドフラップ３０の外側面、つまり、着用者Wの衣類側に露出した状態で背側サイドフラップ３０の側端部３０ａに取り付けられる。また、テープ取付部４１は、インナー部１０の長手方向（Ｄ２方向）において、背側サイドフラップ３０の中央部分に取り付けられる。
【００３４】
背側サイドフラップ３０は、テープ取付部４１を基準として、テープ取付部４１よりも端部１０ａ２（図４において不図示、図１参照）寄りに位置する脚回り側領域３０１と、テープ取付部４１よりも端部１０ａ１寄りに位置する胴部側領域３０２とを有する。
【００３５】
脚回り側領域３０１は、使い捨ておむつ１の着用者Wへの装着時において、テープ取付部４１よりも着用者Wの脚回り部ＷＬ側に位置する。胴部側領域３０２は、同じく装着時において、テープ取付部４１よりも着用者Wの胴部ＷＢ側に位置する。なお、使い捨ておむつ１の着用者Wへの装着時とは、使い捨ておむつ１が着用者Wに合わせられ、係止テープ４０がターゲットテープ部１０ｔと係合する前、つまり、脚回り側領域３０１が係止テープ４０側に折れ曲がる前の状態をいう。
【００３６】
上述したように、使い捨ておむつ１が着用者Wに装着されると、脚回り側領域３０１は、テープ取付部４１の端部４１ａを覆う。ここで、背側サイドフラップ３０において、インナー部１０の幅方向（Ｄ１方向）に沿ったテープ取付部４１の長さをＬａ、脚回り側領域３０１のインナー部１０の長手方向（Ｄ２方向）に沿った長さをＬｂ、背側サイドフラップ３０の側端部３０ａからインナー部１０との境界までの長さをＬｃとする。本実施形態では、Ｌａ、Ｌｂ、Ｌｃは、Ｌａ＜Ｌｂ＜Ｌｃの関係を満たすように形成されている。
【００３７】
具体的には、ＬｂがＬａよりも長いため、係止テープ４０の下端部４０ｂと背側サイドフラップ３０の側端部３０ａとが交差する点ｅ１、接合部６０のインナー部１０幅方向外側の端部６０ａと背側サイドフラップ３０の下端部３０ｂとが交差する点ｅ２を結ぶ線（折り曲げ線ｄ１）に沿って脚回り側領域３０１が係止テープ４０側に折れ曲がる（図中の矢印ＡＲ２参照）と、係止テープ４０側に折れ曲がった脚回り側領域３０１が、テープ取付部４１の脚回り部ＷＬの端部４１ａを覆うことが可能となる。また、ＬｃがＬａ及びＬｂよりも長く、点ｅ２は、点ｅ１よりも脚回り部ＷＬ寄りに位置するため、端部４１ａや下端部３０ｂの延在方向（Ｄ１方向）に対して傾斜している折り曲げ線ｄ１に沿って脚回り側領域３０１が折れ曲がった場合でも、端部４１ａを確実に覆うことが可能となる。
【００３８】
本実施形態では、背側サイドフラップ３０を構成するＳＭＳ不織布（第２資材）の合計目付は、２６ｇ／ｍ２（１３ｇ／ｍ２の資材を二重にしたもの）である。また、係止テープ４０を構成するＳＢ不織布（第１資材）の目付は、８０ｇ／ｍ２である。すなわち、背側サイドフラップ３０の目付は、係止テープ４０の目付よりも小さい。
【００３９】
このため、背側サイドフラップ３０は、係止テープ４０よりも柔らかい。具体的には、背側サイドフラップ３０を構成するＳＭＳ不織布の曲げ剛性（第２曲げ剛性）は、係止テープ４０を構成するＳＢ不織布の曲げ剛性（第１曲げ剛性）よりも小さい。なお、曲げ剛性（ＫＢ）については、後述する。
【００４０】
（使い捨ておむつの製造方法）
次に、図５を参照して、使い捨ておむつ１の製造方法について説明する。ここでは、特に、背側サイドフラップ３０及び腹側サイドフラップ３１の製造方法を主に説明する。なお、インナー部１０など、他の部分は、公知の製造方法に従って製造し得る。
【００４１】
図５は、使い捨ておむつ１の製造工程を模式的に示す。図５に示すように、使い捨ておむつ１の製造工程には、第１折り工程Ｓ１０と、第２折り工程Ｓ２０と、係止テープ貼付工程Ｓ３０と、第１切断工程Ｓ４０と、フラップ貼付工程Ｓ５０と、第２切断工程Ｓ６０とが含まれる。
【００４２】
第１折り工程Ｓ１０では、搬送方向ＭＤに沿って連続するフラップシート３０Ｓの両側端部３０ｃ，３０ｄが、フラップシート３０Ｓの中心線ＣＬ側に向けてフラップシート３０Ｓの上面３０ｅ側に折り畳まれ、ＨＭＡなどにより接着される。中心線ＣＬは、フラップシート３０Ｓの幅方向（搬送方向ＭＤに直交する方向）の中心を通過する直線である。
【００４３】
第２折り工程Ｓ２０では、フラップシート３０Ｓの両側端部３０ｃ，３０ｄが折り畳まれることによって形成された折畳端部３０ｆ，３０ｇが中心線ＣＬに向けてフラップシート３０Ｓの上面３０ｅ側に折り畳まれる。これにより、フラップシート３０Ｓの両端部には、フラップシート３０Ｓが複数枚重ねられた重複部分３０ｈ，３０ｉが形成される。重複部分３０ｈ，３０ｉは、背側サイドフラップ３０の側端部３０ａ（図４参照）を構成する。なお、第２折り工程Ｓ２０で形成された重複部分３０ｈ，３０ｉとフラップシート３０Ｓとは、接着されていない。
【００４４】
係止テープ貼付工程Ｓ３０では、一対の係止テープ４０が連続したテープ部材４０Ｓが、搬送方向ＭＤに沿って所定間隔を空けてフラップシート３０Ｓに貼り付けられる。テープ部材４０Ｓの中央には、搬送方向ＭＤに沿ってミシン目４０ｃなどのように、テープ部材４０Ｓを一対の係止テープ４０に分離することを容易にする加工が施されている。
【００４５】
第１切断工程Ｓ４０では、フラップシート３０Ｓが搬送方向ＭＤに直交する交差方向ＣＤに沿って所定間隔を空けて切断される。フラップシート３０Ｓが切断された切断片３２は、背側サイドフラップ３０と腹側サイドフラップ３１とが一体化されたものである。
【００４６】
フラップ貼付工程Ｓ５０では、切断片３２がインナー連続体１０Ｓ上に所定間隔を空けて配置される。インナー連続体１０Ｓは、外装シート（表面シート３及び裏面シート４）の連続体に吸収体５が間欠的に配置されている。切断片３２は、間欠的に配置された吸収体５の隙間を覆うようにインナー連続体１０Ｓ上に配置され、インナー連続体１０Ｓに接合される。
【００４７】
第２切断工程Ｓ６０では、切断片３２が接合されたインナー連続体１０Ｓが交差方向ＣＤに沿って切断される。切断片３２は、一の製品の背側サイドフラップ３０と、当該一の製品に続く製品の腹側サイドフラップ３１とに分離される。上述した工程Ｓ１０〜Ｓ６０が実行されることによって、使い捨ておむつ１が完成する。
【００４８】
（サイドフラップに用いられる資材）
次に、サイドフラップ、具体的には、背側サイドフラップ３０を構成する資材（不織布）について説明する。上述したように、ＳＭＳ不織布やＳＢ不織布を背側サイドフラップ３０として用いることができる。
【００４９】
ここでは、背側サイドフラップ３０として適した資材の特性を判断するために実施した試験の方法及び結果について説明する。試験では、（１）測定装置を用いた資材の曲げ剛性（以下、試験１）、（２）着用者Wに使い捨ておむつを３０分間装着した後におけるサイドフラップの折れ曲がり状態、及び着用者Wに使い捨ておむつを装着した後における資材耐性（以下、試験２）、について評価した。
【００５０】
試験１及び試験２では、表１に示す実施例１〜３、及び比較例１，２の資材によって構成された使い捨ておむつを用いた。なお、「サイドフラップ資材の種類」の括弧内の記載（一重または二重）は、資材の重ね合わせの有無を示し、二重の場合については、資材全体の合計目付を示す。また、資材のサイズ（幅）は、３０ｍｍとした。
【００５１】
【表１】
2011072687.tif 000003
【００５２】
表１に示すように、実施例１〜３は、曲げ剛性、折れ曲がり易さ及び資材耐性ともに良好であった。一方、比較例１は、実施例に比べて目付が低く、曲げ剛性については測定不可能であった。比較例２は、実施例に比べて目付が高く、資材耐性に問題はなかったが、折れ曲がり難い問題があった。
【００５３】
試験１では、ＫＥＳ自動純曲げ測定装置（カトーテック株式会社製）を使用して、資材の平面に対する垂直方向の曲げ剛性であるＫＢ値を測定した。Ｋは曲率（単位：ｃｍ−１）を示し、Ｂは曲げモーメント（単位：ｇｆ・ｃｍ）を示す。つまり、曲げ剛性は、単位幅当たりの資材を曲げようとするモーメントにある一定の曲率を与えたときに生じる応力の大きさを示す。
【００５４】
具体的には、資材に対して所定の曲率（±２．５ｃｍ−１）が与えられたときに生じるＫＢ値を測定した。なお、表１に示すＫＢ値は、５回の測定値の平均である。なお、測定装置では、０．０１未満のＫＢ値は測定できない。
【００５５】
表１に示す試験結果に基づけば、ＫＢ値が０．１以上、１．０未満の範囲にあることが好ましい。一般的なＳＢ不織布やＳＭＳ不織布を用いた場合、ＫＢ値が０．１未満の場合、資材の剛性が低すぎるため、強度がなく、着用者Wへの使い捨ておむつの装着中に背側サイドフラップ３０が破損するおそれがある。また、ＫＢ値が１．０以上の場合、資材の剛性が高すぎるため、係止テープ４０を引っ張っても背側サイドフラップ３０（脚回り側領域３０１）が折り曲げ線ｄ１に沿って容易に係止テープ４０側に折り曲がらない。
【００５６】
試験２では、実施例１〜３及び比較例１，２の資材を用いた使い捨ておむつを着用者Wに３０分間装着した後におけるサイドフラップの折れ曲がり状態、及び着用者Wに使い捨ておむつを装着した後における資材耐性について観察した。なお、試験２は、各実施例及び各比較例について、それぞれ２回実施した。また、試験２では、係止テープ４０として、ＳＢ不織布を用い、その目付は、８０ｇ／ｍ２とした。また、係止テープ４０のＫＢ値は、１．３０３である。
【００５７】
「折れ曲がり易さ」については、着用者Wに３０分間使い捨ておむつを装着した後における背側サイドフラップ３０の係止テープ４０への折れ曲がりの有無によって評価した。「１００％」は、２回の試験とも折れ曲がりが確認できたことを意味する。「５０％」は、２回の試験のうち、１回のみ折れ曲がりが確認できたことを意味する。「０％」は、２回の試験のうち、全く折れ曲がりが確認できなかったことを意味する。
【００５８】
「資材耐性」については、着用者Wに３０分間使い捨ておむつを装着した後において、背側サイドフラップ３０に破れなどの不具合が発生したか否かを示す。「ＯＫ」は、破れなどの不具合が発生しなかったことを示す。一方、「ＮＧ」は、破れなどの不具合が発生したことを示す。
【００５９】
試験１及び試験２の結果に基づけば、背側サイドフラップ３０の目付は、２０ｇ／ｍ２〜６０ｇ／ｍ２の範囲であることが好ましく、２５ｇ／ｍ２〜４０ｇ／ｍ２の範囲であることがより好ましい。また、係止テープ４０の目付は、５０ｇ／ｍ２〜８０ｇ／ｍ２であることが好ましい。
【００６０】
なお、背側サイドフラップ３０及び係止テープ４０の目付は、上述したような範囲にあることが好ましいが、必ずしもこのような範囲に限定されない。例えば、係止テープ４０の目付は、４０ｇ／ｍ２〜１２０ｇ／ｍ２であってもよい。
【００６１】
このような目付の好適な範囲を考慮すると、係止テープ４０の目付は、背側サイドフラップ３０の目付の１．５倍〜５倍であることが好ましく、２倍〜４倍であることがより好ましい。
【００６２】
さらに、背側サイドフラップ３０の曲げ剛性（ＫＢ値）は、係止テープ４０の曲げ剛性（ＫＢ値）よりも小さいことが好ましい。
【００６３】
以上説明したように、上述した使い捨ておむつ１によれば、背側サイドフラップ３０の脚回り側領域３０１は、着用者Wに使い捨ておむつ１が装着される際に、係止テープ４０が引っ張られつつインナー部１０の長手方向（Ｄ２方向）の端部１０ａ２（ターゲットテープ部１０ｔ）に係止されるときに応力が生じ、係止テープ４０側に折れ曲がる。これにより、脚回り側領域３０１は、テープ取付部４１の脚回り部ＷＬ側の端部４１ａを覆う。具体的には、図４に示すように、係止テープ４０を矢印ＡＲ１方向に引っ張ることによる張力によって点ｅ１と点ｅ２とを結ぶ折り曲げ線ｄ１に沿った応力が生じ、矢印ＡＲ２で示すように、背側サイドフラップ３０の脚回り側領域３０１が係止テープ４０側に折れ曲がる。
【００６４】
このため、背側サイドフラップ３０よりも硬い資材で構成されている係止テープ４０が着用者Wの脚回り部ＷＬに直接接触することがなく、着用者Wの違和感や不快感を回避できる。
【００６５】
また、係止テープ４０は、背側サイドフラップ３０の外側面に露出した状態で設けられる簡素な構造であるため、着用者Wの脚回り部ＷＬと接触し得る係止テープ４０の端部４１ａを係止テープ４０よりも柔らかい資材で構成された部材で覆った構造などよりも使い捨ておむつ１の製造コストを抑制できる。
【００６６】
さらに、使い捨ておむつ１が着用者Wに装着されると、点ｅ１の位置を基点として係止テープ４０の端部４１ａが着用者Wの鼠蹊部に引っ掛かるため、着用者Wの起立時や歩行時でも重い吸収体５を支え、使い捨ておむつ１がずれることを防止できる。
【００６７】
本実施形態では、図４に示したように、Ｌａ、Ｌｂ、Ｌｃは、Ｌａ＜Ｌｂ＜Ｌｃの関係を満たすように形成されている。このため、背側サイドフラップ３０がＤ１方向に対して傾斜する折り曲げ線ｄ１に沿って折れ曲がった場合でもテープ取付部４１の脚回り部ＷＬ側の端部４１ａを確実に覆うことができる。
【００６８】
本実施形態では、背側サイドフラップ３０の目付は、係止テープ４０よりも小さい。また、背側サイドフラップ３０の曲げ剛性は、係止テープ４０の曲げ剛性よりも小さい。すなわち、背側サイドフラップ３０は、係止テープ４０よりも柔らかくなるため、背側サイドフラップ３０よりも硬い係止テープ４０が着用者Wに直接接触することを防止できる。また、背側サイドフラップ３０が折り曲げ線ｄ１に沿って折れ曲がり易くなる。さらに、係止テープ４０の目付が大きいと係止テープ４０の強度も向上し得るため、吸収体５を支える強度や、使い捨ておむつ１の装着時の引っ張りに対する強度を確保し易い。
【００６９】
（その他の実施形態）
上述したように、本発明の実施形態を通じて本発明の内容を開示したが、この開示の一部をなす論述及び図面は、本発明を限定するものであると理解すべきではない。この開示から当業者には様々な代替実施の形態、実施例及び運用技術が明らかとなる。例えば、本発明の実施形態は、次のように変更することができる。
【００７０】
（変更例１）
図６（ａ）〜（ｅ）は、背側サイドフラップ３０の変更例を示す。図６（ａ）〜（ｅ）に示すように、少なくとも折り曲げ線ｄ１（図４参照）と概ね平行する直線部分を含むヒートシールパターン加工やエンボス加工が施された高剛性部Ｐを形成してもよい。高剛性部Ｐは、パターン加工やエンボス加工によって背側サイドフラップ３０が押圧されているため、他の部分よりも剛性が高い。
【００７１】
高剛性部Ｐは、テープ取付部４１の端部４１ａ（具体的には、点ｅ１）から、背側サイドフラップ３０のインナー部１０（図４参照）との境界（具体的には、点ｅ２）に向かって斜めに延在する部分を含む。
【００７２】
なお、図６（ｂ）、（ｃ）及び（ｅ）に示すように、高剛性部Ｐのうち、少なくとも一部が折り曲げ線ｄ１に沿って形成されていればよい。さらに、図６（ｄ）に示すように、高剛性部Ｐは、折り曲げ線ｄ１に沿って形成されていればよく、必ずしも直線でなくても構わない。
【００７３】
このような変更例によれば、背側サイドフラップ３０が高剛性部Ｐに沿って折れ曲がり易くなり、背側サイドフラップ３０の脚回り側領域３０１が係止テープ４０側にさらに折れ曲がり易くなる。
【００７４】
（変更例２）
図７は、背側サイドフラップ３０の取付位置に係る変更例を示す。図７に示すように、背側サイドフラップ３０のインナー部１０との接合部６０は、ギャザー６のインナー部１０側の端部６ａよりもインナー部１０の幅方向中央寄りに形成されてもよい。
【００７５】
このような変更例によれば、折り曲げ線ｄ１と接合部６０の外縁に沿った直線とがなす角度αが大きくなり、係止テープ４０側に折れ曲がる背側サイドフラップ３０の面積が増大する。このため、背側サイドフラップ３０によって、さらに確実に係止テープ４０を覆うことができる。また、接合部６０がギャザー６の端部６ａよりも中央寄りに形成されるため、係止テープ４０が引っ張られると、背側サイドフラップ３０によってギャザー６が外側に開き易くなり、適切にギャザー６を着用者Wにフィットさせることが容易となる。
【００７６】
（変更例３）
図８は、背側サイドフラップ３０の他の変更例を示す。図８に示すように、胴部側領域３０２は、脚回り側領域３０１と同様に、係止テープ４０が引っ張られつつインナー部１０の端部１０ａ２に係止されるときに生じる応力によって、折り曲げ線ｄ２に沿って係止テープ４０側に折れ曲がり、テープ取付部４１の胴部ＷＢ（図３参照）側の端部４１ｂを覆うようにしてもよい。
【００７７】
このような変更例によれば、係止テープ４０が着用者Wの胴部ＷＢと直接接触することによる着用者Wの違和感や不快感を防止し得る。
【００７８】
（変更例４）
図９は、サイドフラップの形状に係る変更例を示す。図９に示すように、インナー部１０に接合されるサイドフラップは、上述した背側サイドフラップ３０及び腹側サイドフラップ３１のように左右一体型ではなく、左右分離型であってもよい。本変更例に係る使い捨ておむつ１Ｘは、左右一対の背側サイドフラップ３０Ｘと、同じく左右一対の腹側サイドフラップ３１Ｘとを備える。
【００７９】
また、背側サイドフラップ及び腹側サイドフラップのうち、何れか一方を左右分離型としてもよい。左右一体型及び左右分離型の何れを採用するかは、製造コストや使い捨ておむつに要求される強度などを考慮して決定すればよい。
【００８０】
（変更例５）
図１０及び図１１は、サイドフラップの形状に係る他の変更例を示す。図１０に示すように、サイドフラップは、上述した背側サイドフラップ３０のように四角形ではなく、背側サイドフラップ３０Ｙのように、インナー部１０の幅方向外側に向かって突出する凸部３０１ａを有するような形状としてもよい。
【００８１】
このような変更例によれば、背側サイドフラップ３０が折り曲げ線ｄ１に沿って折り曲げられたときに、凸部３０１ａが係止テープ４０のテープ取付部４１全体を覆うため、さらに確実に着用者Wの違和感や不快感を防止し得る。
【００８２】
また、図１１に示すように、背側サイドフラップ３０のように四角形ではなく、背側サイドフラップ３０の脚回り側領域３０１の一部が扇形状にカットされた切欠き３０１ｂが形成された背側サイドフラップ３０Ｚのような形状としてもよい。なお、背側サイドフラップ３０Ｚも、Ｌａ＜Ｌｂ＜Ｌｃの関係を満たすように形成される。
【００８３】
上述した実施形態では、乳児或いは幼児向けの使い捨ておむつを例として説明したが、本発明は、大人用の使い捨ておむつにも勿論適用できる。さらに、上述した実施形態では、係止テープ４０は背側サイドフラップ３０に取り付けられていたが、腹側サイドフラップ３１に取り付けられても構わない。
【００８４】
このように、本発明は、ここでは記載していない様々な実施の形態などを含むことは勿論である。したがって、本発明の技術的範囲は、上述の説明から妥当な特許請求の範囲に係る発明特定事項によってのみ定められるものである。
【符号の説明】
【００８５】
１，１Ｘ…使い捨ておむつ、３…表面シート、４…裏面シート、４Ａ…不織布、４Ｂ…バックフィルム、５…吸収体、５Ａ…吸収体コア、５Ｂ…吸収性シート、６…ギャザー、６ａ…端部、１０…インナー部、１０ａ１，１０ａ２，１０ｂ１，１０ｂ２…端部、１０Ｓ…インナー連続体、１０ｔ…ターゲットテープ部、３０…背側サイドフラップ、３０ａ…側端部、３０ｂ…下端部、３０ｃ，３０ｄ…側端部、３０ｅ…上面、３０ｆ，３０ｇ…折畳端部、３０ｈ，３０ｉ…重複部分、３０Ｓ…フラップシート、３０Ｘ，３０Ｙ，３０Ｚ…背側サイドフラップ、３１，３１Ｘ…腹側サイドフラップ、３２…切断片、４０…係止テープ、４０ａ…係合面、４０ｂ…下端部、４０ｃ…ミシン目、４０Ｓ…テープ部材、４１…テープ取付部、４１ａ，４１ｂ…端部、６０…接合部、６０ａ…端部、３０１…脚回り側領域、３０１ａ…凸部、３０１ｂ…切欠き、３０２…胴部側領域、ＣＬ…中心線、Ｐ…高剛性部、W…着用者、ＷＢ…胴部、ＷＧ…股間、ＷＬ…脚回り部
【図１】
2011072687.tif 000004
【図２】
2011072687.tif 000005
【図３】
2011072687.tif 000006
【図４】
2011072687.tif 000007
【図５】
2011072687.tif 000008
【図６】
2011072687.tif 000009
【図７】
2011072687.tif 000010
【図８】
2011072687.tif 000011
【図９】
2011072687.tif 000012
【図１０】
2011072687.tif 000013
【図１１】
2011072687.tif 000014